(57)【特許請求の範囲】
【請求項１】
第１筐体と、第２筐体と、前記第１筐体に対して前記第２筐体を折り畳み開閉自在に連結するヒンジ部と、を備える端末装置であって、
前記ヒンジ部によって折り畳みを閉じた状態から折り畳みを最大に開いた状態までの間
の途中において、前記第１筐体と前記第２筐体とを所定の折り畳み角度で開いた状態で停
止させる停止手段と、
前記第１筐体の前記ヒンジ部とは反対側の第１端部及び前記第２筐体の前記ヒンジ部と
は反対側の第２端部の少なくとも一方に配置され、前記停止手段によって前記第１筐体と前記第２筐体とを所定の折り畳み角度で停止させた状態において、前記第１端部及び前記第２端部が当接される設置面に対して安定化させる安定化手段と、
を備え、
前記第１端部及び前記第２端部の少なくとも一方には、光源と、前記光源より外側に設けられ、前記光源から放射される光を、前記第１筐体または前記第２筐体の両面に透過する光透過部とを備え、
前記光透過部は前記安定化手段の少なくとも一部を形成する、
ことを特徴とする端末装置。
【請求項２】
前記ヒンジ部は前記第１筐体に対して前記第２筐体を折り畳む開閉軸と交差する軸で前
記第１筐体に対して前記第２筐体を回動自在に連結することを特徴とする請求項１に記載の端末装置。
【請求項３】
前記ヒンジ部は、前記第１筐体と前記第２筐体とが所定の角度以上開いた状態で、前記
第１筐体に対する前記第２筐体の回動を可能とすることを特徴とする請求項２に記載の端
末装置。
【請求項４】
前記安定化手段は、前記停止手段によって前記第１筐体と前記第２筐体とを所定の折り畳み角度で停止させた状態で、かつ、前記第１筐体に対して第２筐体の所定の面を対向さ
せた状態において、前記第１端部及び前記第２端部が当接される設置面に対して安定化さ
せることを特徴とする請求項２または３に記載の端末装置。
【請求項５】
前記安定化手段として、前記第１端部及び前記第２端部の少なくとも一方には、前記設
置面と対向する面に滑り止め加工が施されていることを特徴とする請求項１〜４のいずれ
か一項に記載の端末装置。
【発明の詳細な説明】
【技術分野】
【０００１】
本発明は、折り畳み開閉自在に連結された筐体を備える端末装置に関する。
【背景技術】
【０００２】
従来の携帯電話機には、操作部筐体と表示部筐体とが、ヒンジ部で折り畳んで重ね合わせられるように接続された、いわゆる折り畳みタイプの携帯電話機がある。折り畳みタイプの携帯電話機は、操作部筐体の操作部と表示部筐体の表示部とが対向するように折り畳んだクローズスタイル、及び開いた状態のオープンスタイルの２種類の状態をとり得る。
【０００３】
また、折り畳み用のヒンジの回転軸と交差する軸に対して表示部筐体を回動自在とした、いわゆる２軸ヒンジタイプの携帯電話機がある（例えば、特許文献１参照）。２軸ヒンジタイプの携帯電話機は、クローズスタイル及びオープンスタイルの他に、折り畳み用のヒンジの回転軸と交差する軸に対して表示部筐体を１８０°回転させた状態の反オープンスタイル、及び反オープンスタイルから折り畳み、表示部が外側となるように操作部筐体と表示部筐体とが重ね合わせられたビュースタイルの４種類の状態をとり得る。
【特許文献１】特開２００５−３１８１６４号公報
【発明の開示】
【発明が解決しようとする課題】
【０００４】
しかし、上記の携帯電話機においては、筐体を所定の折り畳み角度で開いた状態で、筐体のヒンジ部とは反対側の端部を設置面に当接させて、端末装置を立てて使用するということを想定していないという問題があった。
【０００５】
本発明の課題は、筐体を所定の折り畳み角度で開いた状態で、筐体のヒンジ部とは反対側の端部を設置面に当接させて、立てて使用するのに適した端末装置を提供することである。
【課題を解決するための手段】
【０００６】
以上の課題を解決するため、請求項１に記載の発明は、第１筐体と、第２筐体と、前記第１筐体に対して前記第２筐体を折り畳み開閉自在に連結するヒンジ部と、を備える端末装置であって、前記ヒンジ部によって折り畳みを閉じた状態から折り畳みを最大に開いた状態までの間の途中において、前記第１筐体と前記第２筐体とを所定の折り畳み角度で開いた状態で停止させる停止手段と、前記第１筐体の前記ヒンジ部とは反対側の第１端部及び前記第２筐体の前記ヒンジ部とは反対側の第２端部の少なくとも一方に配置され、前記停止手段によって前記第１筐体と前記第２筐体とを所定の折り畳み角度で停止させた状態において、前記第１端部及び前記第２端部が当接される設置面に対して安定化させる安定化手段と、を備え、前記第１端部及び前記第２端部の少なくとも一方には、光源と、前記光源より外側に設けられ、前記光源から放射される光を、前記第１筐体または前記第２筐体の両面に透過する光透過部とを備え、前記光透過部は前記安定化手段の少なくとも一部を形成することを特徴とする。
【０００７】
請求項２に記載の発明は、請求項１に記載の端末装置であって、前記ヒンジ部は前記第１筐体に対して前記第２筐体を折り畳む開閉軸と交差する軸で前記第１筐体に対して前記第２筐体を回動自在に連結することを特徴とする。
【０００８】
請求項３に記載の発明は、請求項２に記載の端末装置であって、前記ヒンジ部は、前記第１筐体と前記第２筐体とが所定の角度以上開いた状態で、前記第１筐体に対する前記第２筐体の回動を可能とすることを特徴とする。
【０００９】
請求項４に記載の発明は、請求項２または３に記載の端末装置であって、前記安定化手段は、前記停止手段によって前記第１筐体と前記第２筐体とを所定の折り畳み角度で停止させた状態で、かつ、前記第１筐体に対して第２筐体の所定の面を対向させた状態において、前記第１端部及び前記第２端部が当接される設置面に対して安定化させることを特徴とする。
【００１０】
請求項５に記載の発明は、請求項１〜４のいずれか一項に記載の端末装置であって、前記安定化手段として、前記第１端部及び前記第２端部の少なくとも一方には、前記設置面と対向する面に滑り止め加工が施されていることを特徴とする。
【発明の効果】
【００１５】
本発明によれば、筐体を所定の折り畳み角度で開いた状態で、筐体のヒンジ部とは反対側の端部を設置面に当接させて、立てて使用するのに適した端末装置を提供することができる。
【発明を実施するための最良の形態】
【００１６】
以下、本発明の実施形態について詳細に説明する。但し、以下に述べる実施形態には、本発明を実施するために技術的に好ましい種々の限定が付されているが、発明の範囲を以下の実施形態及び図示例に限定するものではない。
【００１７】
〔第１実施形態〕
図１〜図６は本発明の端末装置の第１実施形態として、２軸ヒンジタイプの携帯電話機１を示す斜視図であり、それぞれ、図１は「クローズスタイル」、図２は「オープンスタイル」、図３は「反オープンスタイル」の前面側、図４は「反オープンスタイル」の背面側、図５は「スタンドスタイル」、図６は「ビュースタイル」を示す斜視図である。各スタイルについては、後述する。
【００１８】
携帯電話機１は、操作部筐体１０と、表示部筐体２０と、これらを接続するヒンジ部３０とから概略構成される。
操作部筐体１０には、一方の面に携帯電話機１の操作をするための操作部１１が設けられている。表示部筐体２０には、一方の面に文字や画像等が表示される表示部２１が設けられている。
【００１９】
ヒンジ部３０は操作部筐体１０に対してＡ１軸を中心に開閉自在に設けられているとともに、表示部筐体２０に対してＡ２軸を中心に回動自在に設けられている。このため、操作部筐体１０の操作部と表示部筐体２０の表示部とを対向させた状態で重ね合わせ、図１に示す「クローズスタイル」とすることができる。そして、「クローズスタイル」からヒンジ部３０及び表示部筐体２０を操作部筐体１０に対してＡ１軸を中心に回転させる（開く）ことで、図２に示す「オープンスタイル」とすることができる。
【００２０】
さらに、「オープンスタイル」から表示部筐体２０をヒンジ部３０に対してＡ２軸を中心に１８０°回転（回動）させることで、図３及び図４に示す「反オープンスタイル」とすることができる。なお、Ａ２軸における回動は、操作部筐体１０と表示部筐体２０とが少なくとも９０°以上開いた状態において可能である。このため、表示部筐体２０のヒンジ部３０側の角部が操作部筐体１０に当たるのを防止することができる。
また、「反オープンスタイル」からヒンジ部３０及び表示部筐体２０を操作部筐体１０に対してＡ１軸を中心に回転させる（閉じる）ことで、図５に示す「スタンドスタイル」とし、さらに回転させる（閉じる）ことで、図６に示す「ビュースタイル」とすることができる。
【００２１】
ここで、「スタンドスタイル」について説明する。図７は「スタンドスタイル」における携帯電話機１の側面図である。
操作部筐体１０及び表示部筐体２０のヒンジ部３０と反対側の端部は、机等の平坦面上に載置したときに安定するように、平坦に形成されている。なお、机等と接触する操作部筐体１０及び表示部筐体２０のヒンジ部３０と反対側の端部に、滑り止め塗装を施してもよい。
【００２２】
携帯電話機１のＡ１軸のヒンジは、図７に示すように操作部筐体１０と表示部筐体２０とが所定の角度で固定される。「スタンドスタイル」においては、操作部筐体１０及び表示部筐体２０のヒンジ部３０と反対側の端部を下にし、ヒンジ部３０側を上にした状態で机等の上に立てて載置することができる。
【００２３】
次に、Ａ１軸のヒンジの構造について説明する。図８は「オープンスタイル」におけるヒンジ部３０の内部構造を示す断面図であり、図９は図８のIX−IX線矢視断面図である。図８、図９に示すように、ヒンジ部３０は、ヒンジ部３０と一体に設けられる第１部材３１と、操作部筐体１０側と一体に設けられる第２部材３３と、第１部材３１に固定され第２部材３３を回動可能に保持する回転軸３４とを備える。
【００２４】
第１部材３１の第２部材３３との対向面には、一対の凸部３２，３２が設けられている。凸部３２，３２は、例えば第１部材３１に固定されたボール等である。
【００２５】
第２部材３３は、ケース４０と、カム板５０と、コイルスプリング６０とを備える。
ケース４０は筒状であり、一端に開口４１が設けられ、他端の底板４２に回転軸３４が挿通される挿通孔４３が設けられている。ケース４０には、開口４１側の端部から回転軸３４の軸方向に複数の溝４４が形成されている。溝４４にはカム板５０の外周部の突起５１が係合する。
【００２６】
ケース４０の内部には底板４２とカム板５０との間にコイルスプリング６０が収納される。コイルスプリング６０はカム板５０を第１部材３１に向けて付勢する。
【００２７】
カム板５０には中央に回転軸３４が挿通される挿通孔５２が設けられている。また、カム板５０の外周部には、複数の突起５１が設けられており、各突起５１はそれぞれケース４０の溝４４に係合する。突起５１が溝４４に沿って移動することで、カム板５０が回転軸３４の軸方向に移動自在とされている。
【００２８】
カム板５０の第２部材３３との対向面には、図９に示すように、回転軸３４を中心とする同心円上の４箇所に凹部５３ａ，５３ｂが設けられている。
一対の凹部５３ａ，５３ａは開固定用であり、回転軸３４に対して１８０°対称に設けられている。「オープンスタイル」及び「反オープンスタイル」において、図９の３２Ａ，３２Ａの位置に第１部材３１の凸部３２，３２が配置され、凹部５３ａ，５３ａとそれぞれ係合し、折り畳みを開いたときにクリック感を発生させる。
【００２９】
他の一対の凹部５３ｂ，５３ｂは「スタンドスタイル」用であり、回転軸３４に対して１８０°対称に設けられている。「スタンドスタイル」において、図９の３２Ｂ，３２Ｂの位置に第１部材３１の凸部３２，３２が配置され、凹部５３ｂ，５３ｂとそれぞれ係合しクリック感を発生させる。このヒンジの構造が停止手段として機能するため、「スタンドスタイル」における端末装置１の操作部筐体１０と表示部筐体２０との折り畳み角度をユーザに知覚させることができる。
なお、「クローズスタイル」及び「ビュースタイル」においては、図９の３２Ｃ，３２Ｃの位置に第１部材３１の凸部３２，３２が配置される。
また、「スタンドスタイル」用の凹部５３ｂ，５３ｂは、「クローズスタイル」及び「ビュースタイル」における凸部３２，３２の位置３２Ｃ，３２Ｃに対して約４０〜５０°回転した位置に設けられている。
【００３０】
「スタンドスタイル」から「ビュースタイル」または「反オープンスタイル」に変えるためには、ヒンジ部３０及び表示部筐体２０を操作部筐体１０に対して回転（開閉）させる必要がある。このとき、第１部材３１の凸部３２，３２をスタンドスタイル用の凹部５３ｂ，５３ｂから出すために、カム板５０をコイルスプリング６０による付勢力に抗して反対方向に移動させる力が必要となる。このため、「スタンドスタイル」を安定させることができる。
【００３１】
回転軸３４の第１部材３１と反対側の端部には、ケース４０の挿通孔４３よりも大きい頭部３４ａが設けられており、回転軸３４が挿通された第２部材３３が脱落するのを防止している。
【００３２】
上記ヒンジ部３０の内部構造により、操作部筐体１０と表示部筐体２０とが所定の角度をなして固定されるため、携帯電話機１を図７に示すようなスタンドスタイルとすることができる。
【００３３】
なお、図８においては、カム板５０の凹部５３が放物面形状に形成されていたが、図１０に示すように、カム板５０にラッパのベル形状の凹部５３ｃが形成されていてもよい。
【００３４】
＜第１変形例＞
上記実施形態において、操作部筐体１０及び表示部筐体２０のヒンジ部３０と反対側の端部に、「スタンドスタイル」において携帯電話機１が載置される平坦面７０への安定化手段として、「スタンドスタイル」において平坦面７０へ当接するように、スタンドスタイルの開閉角度に対応した角度の傾斜面を設けてもよい。傾斜面を設けることで、「スタンドスタイル」において傾斜面を水平に配置して設置面に当接させ、設置面に対して安定させることができる。
また、傾斜面が設けられていることで、「クローズスタイル」または「ビュースタイル」において、ユーザが傾斜面に指をかけやすく、「クローズスタイル」から「オープンスタイル」へ、または「ビュースタイル」から「スタンドスタイル」へ容易に変更することができる。
例えば、図１１に示すように操作部筐体１０及び／または表示部筐体２０の端面全体を傾斜面１２（２２）としてもよい。
＜第２変形例＞
あるいは、図１２に示すように角部に面取りを施して、スタンドスタイルの開閉角度に対応した角度の傾斜面１３（２３）を設けてもよい。
【００３５】
＜第３変形例＞
あるいは、図１３に示すように、操作部筐体１０及び表示部筐体２０のヒンジ部３０と反対側の端部に、大きさの異なる複数の突起１４（２４）を前後に設け、「スタンドスタイル」において異なる複数の突起１４（２４）の先端が平坦面７０と当接されるように、スタンドスタイルの開閉角度に対応した角度をなすようにしてもよい。「スタンドスタイル」において突起１４（２４）を設置面に当接させることで、設置面に対して安定させることができる。また、突起１４（２４）が設けられていることで、「クローズスタイル」または「ビュースタイル」において、ユーザが突起１４（２４）に指をかけやすく、「クローズスタイル」から「オープンスタイル」へ、または「ビュースタイル」から「スタンドスタイル」へ容易に変更することができる。
【００３６】
＜第４変形例＞
また、図１４に示すように、傾斜面１２（２２）に滑り止め１５（２５）を設けてもよい。滑り止め１５（２５）は、滑り止め効果のある部材でもよいし、滑り止め効果のある塗装でもよい。「スタンドスタイル」において滑り止め１５（２５）を設置面に当接させることで、設置面に対して安定させることができる。また、滑り止め１５（２５）が設けられていることで、「クローズスタイル」または「ビュースタイル」において、ユーザが滑り止め１５（２５）に指をかけやすく、「クローズスタイル」から「オープンスタイル」へ、または「ビュースタイル」から「スタンドスタイル」へ容易に変更することができる。
＜第５変形例＞
あるいは、図１５に示すように、面取り部に滑り止め１６（２６）を設けてもよい。滑り止め１６（２６）は、滑り止め効果のある部材でもよいし、滑り止め効果のある塗装でもよい。滑り止め１６（２６）を端部の設置面と当接する部分付近にのみ形成することで、必要最低限の加工で済み、コストを低減することができる。また、ユーザが端末装置１を操作する際にも滑り止め１６（２６）が邪魔になりにくくなる。
＜第６変形例＞
あるいは、図１６に示すように、端部に半円筒形の滑り止め１７（２７）を設けてもよい。滑り止め１７（２７）は、滑り止め効果のある部材でもよいし、滑り止め効果のある塗装でもよい。
なお、第１〜第６変形例において、「スタンドスタイル」の安定化手段を操作部筐体１０及び表示部筐体２０の両方に施したが、どちらか一方のみに施してもよい。
【００３７】
＜第７変形例＞
図１７は第７変形例に係る表示部筐体２０の「スタンドスタイル」におけるヒンジ部３０と反対側の端部を示す正面図であり、図１８は図１７のXVIII−XVIII矢視断面図である。図１７に示すように、表示部筐体２０の端部には、半円筒形の滑り止め２７が設けられており、その中央部には透明もしくは半透明な材料により半円筒形の光透過部２８が正面から背面に亘って形成されている。光透過部２８の内部には、光源２９が設けられている。光源２９としては、例えばＬＥＤ等を用いることができる。光源２９は着信やメール受信等の報知に用いられる。
【００３８】
光透過部２８が半円筒形に設けられており、その内部に光源２９が設けられているので、光源２９からの光が光透過部２８を通して放射状に放出される。したがって、任意の方向から光源２９からの光を見ることができ、「スタンドスタイル」において表示部筐体２０がどちらの面を前方に向けていても、単独の光源２９により着信やメール受信等の報知を行うことができる。また、他の「クローズスタイル」、「オープンスタイル」、「反オープンスタイル」、「ビュースタイル」においても、単独の光源２９により着信やメール受信等の報知を行うことができる。
【００３９】
〔第２実施形態〕
次に、本発明の第２実施形態について説明する。なお、第１実施形態と同様の構成については、下２桁に同符号を付して説明を割愛する。
【００４０】
図１９〜図２２は本発明の端末装置の第２実施形態として、１軸ヒンジタイプの携帯電話機１０１を示す斜視図であり、それぞれ、図１９は「クローズスタイル」、図２０は「スタンドスタイル」、図２１は「オープンスタイル」の前面側、図２２は「オープンスタイル」の背面側を示す斜視図である。
【００４１】
本実施形態においては、表示部筐体１２０が操作部筐体１１０に対してＡ１軸を中心に開閉自在に設けられている。このため、図１９に示すように、操作部筐体１１０と表示部筐体１２０とを重ね合わせた「クローズスタイル」とすることができる。そして、「クローズスタイル」から表示部筐体１２０を操作部筐体１１０に対してＡ１軸を中心に回転させることで、図２１、図２２に示す「オープンスタイル」とすることができる。
なお、本実施形態においては、表示部筐体１２０には、両面に表示部１２１ａ，１２１ｂが設けられている。
【００４２】
また、携帯電話機１０１のＡ１軸のヒンジは、第１実施形態と同様の構造をしており、第１実施形態と同様に、操作部筐体１１０と表示部筐体１２０とを所定の角度で固定することができる。このため、携帯電話機１０１は、「クローズスタイル」と「オープンスタイル」との間で、図２０に示す「スタンドスタイル」をとることができる。
本実施形態においても、第１実施形態と同様に、「スタンドスタイル」を安定させることができる。
【００４３】
なお、第１実施形態の第１変形例〜第６変形例と同様に、操作部筐体１１０または表示部筐体１２０の端部に滑り止めを設けてもよい。また、第７変形例と同様に、光透過部及び光源を設けてもよい。
【００４４】
また、以上の実施形態においては、操作部筐体１０及び表示部筐体２０の短手方向にヒンジ部３０が設けられていたが、本発明はこれに限られず、長手方向にヒンジ部３０が設けられていてもよい。
また、以上の実施形態においては、スタンドスタイルの開閉角度を約４０〜５０°としたが、本発明はこれに限られず、０〜１８０度の間の所定の角度でよい。
また、本発明は携帯電話機に限られず、例えば、パーソナルコンピュータ、電子カメラ、電子腕時計、音楽再生機などの端末装置であってもよい。
【図面の簡単な説明】
【００４５】
【図１】「クローズスタイル」の携帯電話機１を示す斜視図である。
【図２】「オープンスタイル」の携帯電話機１を示す斜視図である。
【図３】「反オープンスタイル」の携帯電話機１の前面側を示す斜視図である。
【図４】「反オープンスタイル」の携帯電話機１の背面側を示す斜視図である。
【図５】「スタンドスタイル」の携帯電話機１を示す斜視図である。
【図６】「ビュースタイル」の携帯電話機１を示す斜視図である。
【図７】「スタンドスタイル」における携帯電話機１の側面図である。
【図８】「オープンスタイル」におけるヒンジ部３０の内部構造を示す断面図である。
【図９】図８のIX−IX線矢視断面図である。
【図１０】カム板５０の他の形態を示す断面図である。
【図１１】第１変形例に係る操作部筐体１０または表示部筐体２０のヒンジ部３０と反対側の端部を示す側面図である。
【図１２】第２変形例に係る操作部筐体１０または表示部筐体２０のヒンジ部３０と反対側の端部を示す側面図である。
【図１３】第３変形例に係る操作部筐体１０または表示部筐体２０のヒンジ部３０と反対側の端部を示す側面図である。
【図１４】第４変形例に係る操作部筐体１０または表示部筐体２０のヒンジ部３０と反対側の端部を示す側面図である。
【図１５】第５変形例に係る操作部筐体１０または表示部筐体２０のヒンジ部３０と反対側の端部を示す側面図である。
【図１６】第６変形例に係る操作部筐体１０または表示部筐体２０のヒンジ部３０と反対側の端部を示す側面図である。
【図１７】図１７は第７変形例に係る表示部筐体２０の「スタンドスタイル」におけるヒンジ部３０と反対側の端部を示す正面図である。
【図１８】図１７のXVIII−XVIII矢視断面図である。
【図１９】「クローズスタイル」の携帯電話機１０１を示す斜視図である。
【図２０】「スタンドスタイル」の携帯電話機１０１を示す斜視図である。
【図２１】「オープンスタイル」の携帯電話機１０１の前面側を示す斜視図である。
【図２２】「オープンスタイル」の携帯電話機１０１の背面側を示す斜視図である。
【符号の説明】
【００４６】
１，１０１  携帯電話機
１０，１１０  操作部筐体
１１  操作部
１２，１３，２２，２３  傾斜面
１４，２４  突起
１５，１６，１７，２５，２６，２７  滑り止め
２０，１２０  表示部筐体
２１，１２１ａ，１２１ｂ  表示部
２８  光透過部
２９  光源
３０  ヒンジ部
３１  第１部材
３２  凸部
３３  第２部材
３４  回転軸
４０  ケース
４１  開口
４２  挿通孔
４３  溝
５０  カム板
５１  突起
５２  挿通孔
５３  凹部
６０  コイルスプリング
７０  平坦面
【図１】
0004586175.tif 000002
【図２】
0004586175.tif 000003
【図３】
0004586175.tif 000004
【図４】
0004586175.tif 000005
【図５】
0004586175.tif 000006
【図６】
0004586175.tif 000007
【図７】
0004586175.tif 000008
【図８】
0004586175.tif 000009
【図９】
0004586175.tif 000010
【図１０】
0004586175.tif 000011
【図１１】
0004586175.tif 000012
【図１２】
0004586175.tif 000013
【図１３】
0004586175.tif 000014
【図１４】
0004586175.tif 000015
【図１５】
0004586175.tif 000016
【図１６】
0004586175.tif 000017
【図１７】
0004586175.tif 000018
【図１８】
0004586175.tif 000019
【図１９】
0004586175.tif 000020
【図２０】
0004586175.tif 000021
【図２１】
0004586175.tif 000022
【図２２】
0004586175.tif 000023